(57)【特許請求の範囲】
【請求項１】
メールの送受信機能を有する通信装置であって、
自己が送信したメールのメールタイトルを含む履歴情報を取得する履歴情報取得手段と、
取得した前記履歴情報に基づいて、自己のメールアドレスを送信元とする受信メールが、自己が送信したメールであるか否かを判定することにより、当該メールが、迷惑メールであるか否かを判定する受信メール判定手段と
を備え、
前記受信メール判定手段は、外部のメールサーバから、送信元のメールアドレスとメールタイトルとを含む前記受信メールのヘッダ情報を取得するヘッダ情報取得手段を有し、
前記受信メール判定手段は、取得したヘッダ情報に含まれる送信元のメールアドレスが自己のメールアドレスと一致し、かつ、取得したヘッダ情報に含まれるメールタイトルが前記履歴情報に含まれるメールタイトルと一致しない場合に、前記受信メールを迷惑メールと判定する
ことを特徴とする通信装置。
【請求項２】
前記通信装置はさらに、前記受信メールが迷惑メールと判定された場合に、外部のメールサーバに当該受信メールの削除を要求する削除要求手段を備える
ことを特徴とする請求項１記載の通信装置。
【請求項３】
前記通信装置はさらに、
取得された前記受信メールのヘッダ情報に含まれる送信元のメールアドレスが自己のメールアドレスと一致するか否かを判定するアドレス判定手段と、
前記受信メール判定手段によって迷惑メールであると判定された各受信メールにふくまれる各キーワードと、当該キーワードの迷惑メールにおける累積出現頻度と、当該累積出現頻度に応じて重み付けされた係数である重み付け係数との対応関係を示す評価値テーブルを記録している評価値記録手段と、
前記アドレス判定手段によって、取得された前記受信メールのヘッダ情報に含まれる送信元のメールアドレスが自己のメールアドレスと一致しないと判定された場合に、当該受信メールのヘッダ情報に含まれる各キーワードを抽出する抽出手段と、
抽出された各キーワードについて、前記評価値テーブルにおいて、抽出されたキーワードと一致するキーワードがある場合に、一致するキーワードを特定する特定手段と、
特定された各キーワードの累積出現頻度と重み付け係数とに基づいて、特定された各キーワードの迷惑メール判定評価値を算出する算出手段と、
算出された前記各迷惑メール判定評価値に基づいて、取得された受信メールのヘッダ情報に係る受信メールが迷惑メールであるか否かを判定するキーワード判定手段と
を備えることを特徴とする請求項１記載の通信装置。
【請求項４】
前記重み付け係数は、対応する累積出現頻度が高い程、値が大きくなるように定められ、
前記算出手段は、特定された各キーワードの累積出現頻度と重み付け係数とを乗算して迷惑メール判定評価値を算出し、
前記キーワード判定手段は、算出された各迷惑メール判定評価値の総和が所定の閾値よりも大きい場合に、取得された受信メールのヘッダ情報に係る受信メールが迷惑メールであると判定する
ことを特徴とする請求項３記載の通信装置。
【請求項５】
前記通信装置はさらに、前記キーワード判定手段によって、取得された受信メールのヘッダ情報に係る受信メールが迷惑メールであると判定された場合に、その旨の警告をする警告手段と、
ユーザー指示に応じて、外部のメールサーバに迷惑メールと判定された前記受信メールの削除を要求する削除要求手段と
を備えることを特徴とする請求項３又は４記載の通信装置。
【請求項６】
前記通信装置はさらに、削除要求された前記受信メールのヘッダ情報に含まれるキーワードと、当該キーワードの判定評価値との対応関係を前記判定評価値テーブルに追加登録する登録手段
を備えることを特徴とする請求項５記載の通信装置。
【発明の詳細な説明】
【０００１】
【発明の属する技術分野】
本発明は、メール送受信機能を備えた通信装置に関し、特に、ユーザーの予期しない差出人からユーザー宛に送信される迷惑メールを識別する機能を備えた通信装置に関する。
【０００２】
【従来の技術】
近年、通信技術及び通信ネットワーク網の急速な発展に伴って、携帯電話機やＰＣ（Personal Computer）などの通信装置を介して電子メールのやり取りが、地域や国境の枠を越えて広範囲に活発に行われるようになっている。
これにより、上記通信装置のユーザーは、世界中の誰とでも簡便かつ迅速に電子メールのやり取りを行うことができる。
【０００３】
一方、通信ネットワーク網を利用することにより、迷惑メールを一方的に送りつける悪徳な業者が最近、出現し、その数が急速に増加しつつある。
ここで、「迷惑メール」とは、通信装置を所有する不特定多数のユーザーのメールアドレス宛に一方的に送信されるメールや、商品やサービスの購入を勧誘するメールのことをいう。
【０００４】
これら迷惑メールを、ユーザーが迷惑メールと知らずに自己の通信装置で受信すると、その分の受信料を通信業者から余分に請求されることになり、ユーザーにとっては、不要なサービスに対してお金を支払わなければならないという問題が生じる。
この問題を解決するための従来技術として、電子メールを管理しているメールサーバに対して、予め迷惑メールの送信元のメールアドレスを登録しておいて、メールサーバが当該メールアドレスからの電子メールを受信すると、その電子メールをメールサーバから削除する技術が特許文献１に開示されている。
【０００５】
これにより、ユーザーは、迷惑メールを自己の通信装置で誤って受信することを効果的に防止することができる。
【０００６】
【特許文献１】
特開2002-335288
【０００７】
【発明が解決しようとする課題】
しかしながら、最近、悪徳業者による迷惑メール送信の手口は、益々巧妙化し、送信元のメールアドレスをユーザーのメールアドレスとするいわゆる「成り済まし」のメールアドレスを利用して、迷惑メールを送りつけるという悪質な行為が悪徳業者によって行われるようになってきており、上記に説明した従来技術ではこのような悪質行為に対して対処することができないという問題が生じる。
【０００８】
そこで、本発明は、「成り済まし」のメールアドレスを送信元とする迷惑メールを判別することが可能な通信装置及びサーバを提供することを目的とする。
【０００９】
【課題を解決するための手段】
上記課題を解決するために、本発明は、メールの送受信機能を有する通信装置であって、自己が送信したメールの履歴情報を取得する履歴情報取得手段と、取得した前記履歴情報に基づいて、自己のメールアドレスを送信元とする受信メールが、自己が送信したメールであるか否かを判定することにより、当該メールが、迷惑メールであるか否かを判定する受信メール判定手段とを備える。
【００１０】
又、本発明は、メールの送受信機能を有するメールサーバであって、ユーザーが送信したメールの履歴情報を記録する履歴情報記録手段と、記録した前記履歴情報に基づいて、前記ユーザーのメールアドレスを送信元とする前記ユーザー宛の受信メールが、前記ユーザーが送信したメールであるか否かを判定することにより、当該メールが、迷惑メールであるか否かを判定する受信メール判定手段とを備えることとしてもよい。
【００１１】
これにより、「成り済まし」のメールアドレスを送信元とする迷惑メールを簡易に判別することができる。
【００１２】
【発明の実施の形態】
（実施の形態１）
＜構成＞
本発明の実施の形態１における携帯電話機は、迷惑メール判別機能を備えた携帯電話機である。
【００１３】
図１は、本発明の実施の形態における携帯電話機１００の構成を示す機能ブロック図である。携帯電話機１００は、図１に示す通り、アンテナ１０１、無線送受信部１０２、スピーカ１０３、マイク１０４、入力操作部１０５、制御部１０６、表示部１０７、メモリ１０８から構成される。
無線送受信部１０２は、アンテナ１０１を介して入力された通信電波を通信データに復調処理して、制御部１０６に出力し、制御部１０６より入力される通信データを変調処理し、通信電波としてアンテナ１０１を介して送信する。
【００１４】
ここで、「通信データ」とは、通話の音声データ、メールなどの文字データ、画像データなどのことをいう。
スピーカー１０３は、制御部１０６から出力された音声データに基づいて音声を発生する。
マイク１０４は、ユーザーから入力された音声を音声信号として制御部１０６に出力する。
【００１５】
入力操作部１０５は、テンキー、電源入力キー、通話キー等各種の入力キーを有し、入力キーの入力を介してユーザーからの各種指示（例えば、メール受信指示、メール送信指示など）及び各種データ入力（例えば、文字入力）を受け付け、受け付けたユーザー指示、入力データを制御部１０６に出力する。
表示部１０７は、制御部１０６より入力された文字データ、画像データに基づいて、文字や画像を表示する。
【００１６】
メモリ１０８は、メール記録部１０８１と履歴情報記録部１０８２から構成される。
メール記録部１０８１は、無線送受信部１０２を介して外部から受信されたメールを記録している。
履歴情報記録部１０８２は、携帯電話機１００に付与されたメールアドレス（以下、「自己メールアドレス」という。）及び履歴情報を記録している。
【００１７】
ここで、「履歴情報」とは、送受信したメールの履歴を示す情報のことをいい、具体的には、当該メールの送信又は受信日時と送信先（メールの送信の場合）又は送信元（メールの受信の場合）のメールアドレスとメールタイトルとの対応関係を示す情報のことをいう。図２は、履歴情報の具体例を示す。
制御部１０６は、マイクロプロセッサとＲＯＭ（Read Only Memory）及びＲＡＭ（Random Access Memory）、などから構成され、ＲＯＭに格納されている制御プログラムに従って、携帯電話機１００の全体の制御を行う。
【００１８】
又、ＲＯＭには、メールプログラムが記録されており、制御部１０６は、当該メールプログラムを起動して、実行することにより、以下の処理を行う。
（１）送信メール作成処理
入力操作部１０５を介してユーザーから入力される、送信先メールアドレス、メールタイトル、メール本文などの文字入力に基づいて送信メールを作成する。
（２）履歴情報登録処理
（１）の送信メール作成処理で作成されたメールをユーザーからのメール送信指示に応じて、送信先メールアドレス宛に送信した時に、当該メールの履歴情報（以下、「送信履歴情報」という。）を履歴情報記録部１０８２に登録する。
【００１９】
なお、送信履歴情報は、外部のメールサーバに登録することとしてもよい。
又、入力操作部１０５を介してユーザーから入力されるメール受信指示に応じて、無線送受信部１０２を介して外部のメールサーバに接続し、メールサーバから受信されたメールのヘッダ情報を取得した時に、取得したヘッダ情報に基いて当該メールの履歴情報（以下、「受信履歴情報」という。）を履歴情報記録部１０８２に登録する。
【００２０】
なお、受信履歴情報は、外部のメールサーバに登録することとしてもよい。
ここで、「ヘッダ情報」とは、メールのヘッダ部分に記述されている、メールサーバにおいて当該メールが受信された日時、送信元及び送信先のメールアドレス、メールのタイトル、メールの送信経路情報等を含む情報のことをいう。図３は、送受信されるメールのフォーマットを示す。メールは、図３に示すように、ヘッダ部とデータ部とから構成され、ヘッダ部には、ヘッダ情報が記述され、データ部には、メール本文の内容が記述されている。
（３）迷惑メール取得制御処理
受信されたメールのヘッダ情報に基いて、送信元メールアドレスが自己メールアドレスと一致するか否かを判定し、一致する場合に、さらに、当該送信元メールアドレスのメールタイトルが送信履歴情報に登録済みのメールタイトルと一致するか否かを判定し、一致しない場合に、受信されたメールを「迷惑メール」と判定して、当該受信メールの削除処理、具体的には、「迷惑メール」と判定されたメールを受信したメールサーバから当該迷惑メールのデータ部を取得することなく、メールサーバに対して、当該受信メールの削除を、無線送受信部１０２を介して指示することにより、当該受信メールを削除させる処理を行う。
＜動作＞
以下、制御部１０６の行う受信メールの取得制御処理の動作について説明する。図４は、上記動作を示すフローチャートである。以下、図４を参照して上記動作について説明する。
【００２１】
制御部１０６は、ユーザーから入力操作部１０５を介してメール受信指示が有ると（ステップＳ４０１：Ｙ）、制御部１０６は、メール受信指示に応じて、無線送受信部１０２を介して外部のメールサーバに接続し、メールサーバから受信されたメールのヘッダ情報を、無線送受信部１０２を介して取得し（ステップＳ４０２）、取得したヘッダ情報に含まれる送信元メールアドレスが履歴情報記録部１０８２に記録されている自己メールアドレスと一致するか否かにより、受信されたメールの送信元が自己からのものか否かを判定する（ステップＳ４０３）。
【００２２】
送信元が自己からのものである場合（ステップＳ４０３：Ｙ）、制御部１０６は、履歴情報記録部１０８２に記録されている送信履歴情報に基づいて、当該送信元メールアドレスのメールタイトルが送信履歴情報に登録済みのメールタイトルと一致するか否かを判定する（ステップＳ４０４）。
登録済みのメールタイトルと一致しない場合（ステップＳ４０４：Ｎ）、制御部１０６は、受信されたメールを「迷惑メール」と判定して、受信されたメールの削除処理を実行する（ステップＳ４０５）。
【００２３】
ステップＳ４０３において、送信元が自己からのものでない場合（ステップＳ４０３：Ｎ）、又はステップＳ４０４において、登録済みのメールタイトルと一致する場合（ステップＳ４０４：Ｙ）、メールの取得指示を無線送受信部１０２に通知し、当該メールを無線送受信部１０２を介して外部のメールサーバから取得し（ステップＳ４０６）、メール記録部１０８１に記録する。
（実施の形態２）
本発明の実施の形態２における携帯電話機は、実施の形態１における携帯電話機１００の機能に加え、送信元のメールアドレスが自己メールアドレスでないメールに対しても迷惑メール識別機能を備える。
【００２４】
以下、実施の形態１における携帯電話機１００の構成要素と同一の構成要素については、同一の番号を付し、当該構成要素については説明を省略し、携帯電話機１００と相違する点を中心に説明する。
図１は、本発明の実施の形態における携帯電話機１００の構成を示す機能ブロック図である。携帯電話機１００は、図１に示す通り、アンテナ１０１、無線送受信部１０２、スピーカ１０３、マイク１０４、入力操作部１０５、制御部１０６、表示部１０７、メモリ１０８から構成される。
【００２５】
図５は、本発明の実施の形態２における携帯電話機２００の構成を示す機能ブロック図である。携帯電話機１００は、図５に示す通り、アンテナ１０１、無線送受信部１０２、スピーカ１０３、マイク１０４、入力操作部１０５、制御部２０６、表示部１０７、メモリ２０８から構成される。
メモリ２０８は、メール記録部１０８１、履歴情報記録部１０８２、迷惑メール特定キーワード記録部１０８３から構成される。
【００２６】
迷惑メール特定キーワード記録部１０８３は、迷惑メール特定キーワードテーブルと迷惑メール判定評価値の閾値を記録している。
ここで、「迷惑メール特定キーワードテーブル」とは、迷惑メール特定キーワードとその出現回数と重み付け係数との対応関係を示すテーブルのことをいう。「迷惑メール特定キーワード」とは、後述する迷惑メール判定処理において、制御部２０６によって「迷惑メール」と判定されたメールのヘッダ情報に含まれるキーワードのことをいう。キーワードは、ヘッダ情報に含まれる特定の文字列の組み合わせ（例えば、漢字、カタカナ、ひらがな、英文字、数字、記号の組み合わせ或いはこれらの結合の組み合わせ）のことをいう。キーワードは、ヘッダ情報の特定の項目、例えば、メールタイトルに含まれるキーワードに限定することとしてもよい。
【００２７】
「出現回数」とは、対応する迷惑メール特定キーワードの、迷惑メールと判定された各メールのヘッダ情報における累積出現回数のことをいう。
「重み付け係数」とは、迷惑メール特定キーワードの出現回数の昇順に値が大きくなるように予め設定されている係数のことをいう。
「迷惑メール判定評価値」とは、迷惑メール特定キーワードの出現回数に当該出現回数の順位に応じた重み付け係数を乗算することにより算出される値のことをいう。
【００２８】
図７は、迷惑メール特定キーワードテーブルの具体例を示す。
制御部２０６は、マイクロプロセッサとＲＯＭ（Read Only Memory）及びＲＡＭ（Random Access Memory）、などから構成され、ＲＯＭに格納されている制御プログラムに従って、携帯電話機１００の全体の制御を行う。
又、ＲＯＭには、メールプログラムが記録されており、制御部２０６は、当該メールプログラムを起動して、実行することにより、送信メール作成処理、履歴情報登録処理及び迷惑メール判定処理を行う。
【００２９】
送信メール作成処理、履歴情報登録処理については、実施の形態１における処理と同じであるので、説明を省略し、以下、迷惑メール判定処理について説明する。
制御部２０６は、受信されたメールのヘッダ情報に基いて、送信元メールアドレスが自己メールアドレスと一致するか否かを判定する。
【００３０】
さらに、制御部２０６は、送信元メールアドレスが自己メールアドレスと一致する場合に、さらに、当該送信元メールアドレスのメールタイトルが送信履歴情報に登録済みのメールタイトルと一致するか否かを判定し、一致しない場合に、受信されたメールを「迷惑メール」と判定して、当該メールのヘッダ情報に含まれるキーワードを抽出し、抽出した各キーワードを迷惑メール特定キーワード記録部１０８３に記録されている迷惑メール特定キーワードテーブルに追加登録した後、当該受信メールの削除処理を行う。
【００３１】
ここで、「追加登録」とは、抽出したキーワードが迷惑メール特定キーワードテーブルに未登録の場合には、新たに登録し、登録済みの場合には、当該キーワードの出現回数を更新し、更新後の当該出現回数の順位に基づいて当該キーワードの重み付け係数を更新する（順位に変動がない場合には、当該重み付け係数は、更新されないものとする。）。
【００３２】
又、上記において、送信履歴情報にメールタイトルが登録されていない場合は、制御部２０６は一致しないと判定するものとする。
なお、削除処理については、実施の形態１の場合と同じ処理が行われるため、」説明を省略する。
一方、制御部２０６は、送信元メールアドレスが自己メールアドレスと一致しない場合に、受信されたメールのヘッダ情報に含まれる各キーワードを抽出し、迷惑メール特定キーワードテーブルに登録済みの各迷惑メール特定キーワードと比較することにより、登録済みの迷惑メール特定キーワードの中で、抽出した何れかのキーワードと一致する迷惑メール特定キーワードを特定し、特定した各迷惑メール特定キーワードについて、迷惑メール判定評価値を算出し、さらに算出した各迷惑メール判定評価値の総和（以下、「総合評価値」という。）を算出し、算出した総合評価値が、迷惑メール特定キーワード記録部１０８３に記録されている迷惑メール判定評価値の閾値よりも大きい場合に、受信したメールのヘッダ情報と「当該メールが迷惑メールであると判定された」旨の警告メッセージを表示部１０７に表示させる。
【００３３】
制御部２０６は、入力操作部１０５を介してユーザーから当該メールの削除要求があると、当該メールのヘッダ情報に含まれるキーワードを抽出し、抽出した各キーワードを迷惑メール特定キーワード記録部１０８３に記録されている迷惑メール特定キーワードテーブルに追加登録した後、当該受信メールの削除処理を行う。
＜動作＞
以下、制御部２０６の行う迷惑メール判定処理の動作について説明する。図６は、上記動作を示すフローチャートである。以下、図６を参照して上記動作について説明する。
【００３４】
制御部２０６は、ユーザーから入力操作部１０５を介してメール受信指示が有ると（ステップＳ６０１：Ｙ）、制御部２０６は、メール受信指示に応じて、無線送受信部１０２を介して外部のメールサーバに接続し、メールサーバから受信されたメールのヘッダ情報を、無線送受信部１０２を介して取得し（ステップＳ６０２）、取得したヘッダ情報に含まれる送信元メールアドレスが履歴情報記録部１０８２に記録されている自己メールアドレスと一致するか否かにより、受信されたメールの送信元が自己からのものか否かを判定する（ステップＳ６０３）。
【００３５】
送信元が自己からのものである場合（ステップＳ６０３：Ｙ）、制御部２０６は、履歴情報記録部１０８２に記録されている送信履歴情報に基づいて、当該送信元メールアドレスのメールタイトルが送信履歴情報に登録済みのメールタイトルと一致するか否かを判定する（ステップＳ６０４）。
登録済みのメールタイトルと一致しない場合（ステップＳ６０４：Ｎ）、当該メールのヘッダ情報に含まれるキーワードを抽出し、抽出した各キーワードを迷惑メール特定キーワード記録部１０８３に記録されている迷惑メール特定キーワードテーブルに追加登録し（ステップＳ６０５）、さらに、当該受信メールの削除処理を行う（ステップＳ６０６）。
【００３６】
ステップＳ６０３において、送信元が自己からのものでない場合（ステップＳ６０３：Ｎ）、受信されたメールのヘッダ情報に含まれる各キーワードを抽出し（ステップＳ６０７）、迷惑メール特定キーワードテーブルに登録済みの各迷惑メール特定キーワードと比較することにより、登録済みの迷惑メール特定キーワードの中で、抽出した何れかのキーワードと一致する迷惑メール特定キーワードを特定し（ステップＳ６０８）、特定した各迷惑メール特定キーワードについて、迷惑メール判定評価値を算出し（ステップＳ６０９）、さらに算出した各迷惑メール判定評価値の総和（以下、「総合評価値」という。）を算出し、算出した総合評価値が、迷惑メール特定キーワード記録部１０８３に記録されている迷惑メール判定評価値の閾値よりも大きいか否かを判定する（ステップＳ６１０）。
【００３７】
大きい場合に（ステップＳ６１０：Ｙ）、受信されたメールのヘッダ情報と「当該メールが迷惑メールであると判定された」旨の警告メッセージを表示部１０７に表示させ（ステップＳ６１１）、入力操作部１０５を介してユーザーから当該メールの削除要求があると（ステップＳ６１２：Ｙ）、ステップＳ６０５の処理に移行する。
【００３８】
ステップＳ６１０において、算出した総合評価値が迷惑メール判定評価値の閾値よりも大きくない場合（ステップＳ６１０：Ｎ）、又はステップＳ６１２において、ユーザーから受信されたメールの非削除要求があった場合（ステップＳ６１２：Ｎ）は、受信されたメールの取得指示を無線送受信部１０２に通知し、当該メールを無線送受信部１０２を介して外部のメールサーバから取得する（ステップＳ６１３）。
＜補足＞
以上、本発明に係る携帯電話機について、実施の形態に基づいて説明したが、本発明はこれら実施の形態に限られないことは勿論である。
（１）本実施の形態１及び２においては、携帯電話機によって、迷惑メール取得制御処理、迷惑メール判定処理を行うこととしたが、携帯電話機に限らず、制御部１０６及びメモリ１０８、又は制御部２０８及びメモリ２０８を構成要素として含む通信装置であれば他の装置、例えば、ＰＤＡ(Personal Digital Assistance)、電子メール送受信機能を有するＰＣ(Personal Computer)、メールサーバであってもよい。
【００３９】
なお、メールサーバにおいては、ユーザー毎に、受信メール、履歴情報、迷惑メール特定キーワードテーブル、迷惑メール判定評価値の閾値が、それぞれメモリに記録されているものとする。
（２）本実施の形態１及び２においては、「迷惑メール」の判定をメールタイトルが一致するか否かにより行うこととしたが、他の方法、例えば、送信履歴情報にメールを送信した時刻を記録することとして、送信元が自己からのメールのヘッダ情報を受信した時刻が、最後に自己のメールアドレス宛のメールを送信した時刻から所定時間内か否かにより「迷惑メール」の判定を行うこととしてもよい。
（３）本実施の形態１及び２においては、図４のステップＳ４０３及び図６のステップＳ６０３において、履歴情報記録部１０８２に記録されている自己メールアドレスと一致するか否かにより、受信されたメールの送信元が自己からのものか否かを判定することとしたが、取得したメールのヘッダ情報に含まれる送信元メールアドレスと送信先メールアドレスとが一致するか否かにより、受信されたメールの送信元が自己からのものか否かを判定することとしてもよい。
（４）本実施の形態１及び２において、図４のステップＳ４０４とステップＳ４０５の間及び図６のステップＳ６０４とステップＳ６０５の間に、図６のステップＳ６１１及びステップＳ６１２の処理をそれぞれ追加することとし、追加したステップＳ６１２の判定が「ＹＥＳ」の場合に、それぞれ、ステップＳ４０５の処理、ステップＳ６０５の処理を行い、ステップＳ６１２の判定が「ＮＯ」の場合に、それぞれ、ステップＳ４０６、ステップＳ６１３の処理を行うこととしてもよい。
（５）本実施の形態１及び２においては、図４のステップＳ４０２と図６のステップＳ６０２において、受信メールのヘッダ情報を取得することとしたが、ヘッダ情報に加え、メール本文を取得することとしてもよい。
【００４０】
又、送信履歴情報に送信メール本文を含めることとし、図４のステップＳ４０４及び図６のステップＳ６０４におけるそれぞれの処理の代わりに、メールタイトルとメール本文の両者が送信履歴情報に登録済みのメールタイトル及びメール本文の両者と一致するか否かの判定を行うこととしてもよい。
これにより、迷惑メールの判定をより正確に行うことができる。
（６）本実施の形態２においては、図６のステップＳ６０５、ステップＳ６０７に示すように、受信されたメールのヘッダ情報に含まれるキーワードに基づいて、迷惑メールの判定を行うこととしたが、ヘッダ情報の代わりに、又はヘッダ情報に加えて、受信されたメールの本文に含まれるキーワードに基づいて、迷惑メールの判定を行うこととしてもよい。
【００４１】
これにより、例えば、メールタイトルだけでは、迷惑メールと識別できないような迷惑メールが送信されてきた場合においても、メール本文の内容に基づいて、迷惑メールを識別することができるので、迷惑メールの検出効率を高めることができる。
又、ヘッダ情報に含まれるキーワードの代わりにメールタイトルに基づいて、図６におけるステップＳ６０５、ステップＳ６０７〜６０９の処理を行うこととしてもよい。
（７）本実施の形態２においては、迷惑メール特定キーワードの出現回数の順位に応じた重み付けをすることにより、迷惑メールの判定を行うこととしたが、他の方法により重み付けを行うこととしてもよい。
【００４２】
例えば、ユーザーが各迷惑メール特定キーワードに対して、重み付け係数を入力し設定することとしてもよい。
（８）本実施の形態２においては、迷惑メール特定キーワードテーブルに迷惑メール特定キーワードとその出現回数と重み付け係数との対応関係を登録することとしたが、さらに、登録日時を登録することとして、登録後、所定時間が経過した登録日時を示す迷惑メール特定キーワードを、制御部２０６が迷惑メール特定キーワードテーブルから削除することとしてもよい。
【００４３】
これにより、内容が刻々変動する迷惑メールに対して、常に最近に送信された迷惑メールに含まれるキーワードに基づいて、迷惑メールの判定を適切に行うことができる。
【００４４】
【発明の効果】
本発明は、本発明は、メールの送受信機能を有する通信装置であって、自己が送信したメールの履歴情報を取得する履歴情報取得手段と、取得した前記履歴情報に基づいて、自己のメールアドレスを送信元とする受信メールが、自己が送信したメールであるか否かを判定することにより、当該メールが、迷惑メールであるか否かを判定する受信メール判定手段とを備える。
【００４５】
ここで、前記通信装置は、携帯電話機であることとしてもよい。
又、本発明は、メールの送受信機能を有するメールサーバであって、ユーザーが送信したメールの履歴情報を記録する履歴情報記録手段と、記録した前記履歴情報に基づいて、前記ユーザーのメールアドレスを送信元とする前記ユーザー宛の受信メールが、前記ユーザーが送信したメールであるか否かを判定することにより、当該メールが、迷惑メールであるか否かを判定する受信メール判定手段とを備えることとしてもよい。
【００４６】
これにより、「成り済まし」のメールアドレスを送信元とする迷惑メールを簡易に判別することができる。
ここで、前記通信装置はさらに、前記受信メールが迷惑メールと判定された場合に、外部のメールサーバに当該受信メールの削除を要求する削除要求手段を備えることとしてもよい。
【００４７】
これにより、迷惑メールと判定された受信メールを自動的に削除することができるので、ユーザーは、意に反して迷惑メールを読まされるという事態が起こるのを有効に防止することができる。
ここで、前記履歴情報は、自己が送信したメールのメールタイトルを含み、
前記受信メール判定手段は、外部のメールサーバから、送信元のメールアドレスとメールタイトルとを含む前記受信メールのヘッダ情報を取得するヘッダ情報取得手段を有し、前記判定手段は、取得したヘッダ情報に含まれる送信元のメールアドレスが自己のメールアドレスと一致し、かつ、取得したヘッダ情報に含まれるメールタイトルが前記履歴情報に含まれるメールタイトルと一致しない場合に、前記受信メールを迷惑メールと判定することとしてもよい。
【００４８】
これにより、受信メールのヘッダ情報のみに基づいて、迷惑メールの判定が行えるので、外部のサーバから受信メールの本文を取得する前に、受信メールが迷惑メールであるか否かを判定することができる。従って、ユーザーは、迷惑メールの本文を知らないうちに受信させられ、無駄な通信コストを払うという事態が起こるのを有効に防止することができる。
【００４９】
ここで、前記通信装置はさらに、前記受信メール判定手段によって迷惑メールであると判定された受信メールに含まれるキーワードと、当該キーワードの迷惑メール判定における重視度の程度を表す判定評価値との対応関係を示す判定評価値テーブルを記録している判定評価値記録手段を備え、前記受信メール判定手段は、前記受信メールが、自己が送信したメールでない場合に、当該メールが迷惑メールであると判定し、前記通信装置はさらに、前記受信メールが、自己が送信したメールでない場合に、当該メールに含まれるキーワードを抽出し、前記判定評価値テーブルにおいて、抽出したキーワードと一致するキーワードがある場合に、一致するキーワードを特定し、特定したキーワードの判定評価値に基づいて、前記受信メールが迷惑メールであるか否かを判定するキーワード判定手段を備えることとしてもよい。
【００５０】
これにより、迷惑メールと判定された受信メールに含まれる代表的なキーワードにウェイトを置いた迷惑メールの判定が可能となり、送信元が自己でない受信メールに対しても、有効な迷惑メールの判定を行うことができる。
ここで、前記判定評価値は、対応するキーワードが迷惑メールにおいて出現する頻度が高い程、判定評価値が大きくなるように定められ、前記キーワード判定手段は、特定したキーワードの判定評価値の総和が所定の閾値よりも大きい場合に、前記受信メールが迷惑メールであると判定することとしてもよい。
【００５１】
これにより、迷惑メールと判定された受信メールにおいて、出現頻度の高いキーワードを重要視して迷惑メールの判定をすることができるので、送信元が自己でない受信メールに対しても、効果的に迷惑メールの判別をすることができる。ここで、前記通信装置はさらに、前記キーワード判定手段によって、受信メールが迷惑メールであると判定された場合に、その旨の警告をする警告手段と、
ユーザー指示に応じて、外部のメールサーバに迷惑メールと判定された前記受信メールの削除を要求する削除要求手段とを備えることとしてもよい。
【００５２】
これにより、受信メールが迷惑メールと判定された場合には、その旨がユーザーに通知されるので、ユーザーは、迷惑メールの可能性が高い受信メールを容易に判別することができ、必要に応じて当該受信メールをメールサーバから削除することができる。
ここで、前記通信装置はさらに、削除要求された前記受信メールに含まれるキーワードと、当該キーワードの出現頻度に基づいて定められた判定評価値との対応関係を前記判定評価値テーブルに追加登録する登録手段を備えることとしてもよい。
【００５３】
これにより、迷惑メールに含まれるキーワードを常時更新することができるので、迷惑メールの送信元の悪質業者が時期に応じて、迷惑メールの内容を変えてきた場合にでも、有効に迷惑メールを判別して、メールサーバから削除することができる。
【図面の簡単な説明】
【図１】携帯電話機１００の構成を示す機能ブロック図である。
【図２】履歴情報の具体例を示す。
【図３】送受信されるメールのフォーマットを示す。
【図４】制御部１０６の行う受信メールの取得制御処理の動作を示すフローチャートである。
【図５】携帯電話機２００の構成を示す機能ブロック図である。
【図６】制御部２０６の行う迷惑メール判定処理の動作を示すフローチャートである。
【図７】迷惑メール特定キーワードテーブルの具体例を示す。
【符号の説明】
１００、２００    携帯電話機
１０１    アンテナ
１０２    無線送受信部
１０３    スピーカ
１０４    マイク
１０５    入力操作部
１０６、２０６    制御部
１０７    表示部
１０８、２０８    メモリ
１０８１  メール記録部
１０８２  履歴情報記録部
１０８３  迷惑メール特定キーワード記録部
【図１】
0003663199.tif 000002
【図２】
0003663199.tif 000003
【図３】
0003663199.tif 000004
【図４】
0003663199.tif 000005
【図５】
0003663199.tif 000006
【図６】
0003663199.tif 000007
【図７】
0003663199.tif 000008